(57)【要約】【課題】複数の現像ユニットを一体的に取り扱うことができる現像カートリッジを提供すること。【解決手段】  イエロー、マゼンタおよびシアンの感光ドラム１７にそれぞれ対応して設けられるイエロー現像ユニット１５Ｙ、マゼンタ現像ユニット１５Ｍおよびシアン現像ユニット１５Ｃと、それらを一体的に支持するカラー側板７１とを備えるカラー現像カートリッジ５２を、各感光ドラム１７を保持するプロセスフレーム１４に対して着脱自在に設ける。【選択図】図２
2010266753.tif 000002
【特許請求の範囲】
【請求項１】
複数の感光ドラムを保持する保持部材に対して着脱自在に設けられる現像カートリッジであって、
前記現像カートリッジは、
各前記感光ドラムにそれぞれ対応して設けられ、前記感光ドラムに現像剤を供給する現像剤担持体を備える現像ユニットと、
各前記現像ユニットを移動可能かつ一体的に支持する支持部材とを、備えていることを特徴とする、現像カートリッジ。
【請求項２】
前記現像ユニットは、前記支持部材に対して、前記現像カートリッジが前記保持部材に装着された状態における前記感光ドラムの径方向に沿って、前記感光ドラムに近接する方向と、前記感光ドラムから離間する方向とに、スライド可能に設けられ、
前記現像カートリッジの前記保持部材に対する着脱方向と、前記現像ユニットのスライド方向とは、交差することを特徴とする、請求項１に記載の現像カートリッジ。
【請求項３】
前記現像カートリッジは、前記現像ユニットを前記感光ドラムに向かって付勢する付勢部材を備えていることを特徴とする、請求項１または２に記載の現像カートリッジ。
【請求項４】
前記現像ユニットは、前記現像ユニットに対して着脱自在に設けられ、前記現像剤を収容する現像剤収容部を備えていることを特徴とする、請求項１ないし３のいずれかに記載の現像カートリッジ。
【請求項５】
前記現像剤収容部と前記現像剤担持体とは、一体的にスライドすることを特徴とする、請求項４に記載の現像カートリッジ。
【請求項６】
感光ドラムを保持する保持部材に対して着脱自在に設けられる現像カートリッジであって、
前記現像カートリッジは、
前記感光ドラムに現像剤を供給する現像剤担持体を備える現像ユニットと、
前記現像ユニットをスライド可能に支持する支持部材とを備え、
前記現像ユニットは、前記支持部材に対して、前記感光ドラムの径方向に沿って、前記感光ドラムに近接する方向と、前記感光ドラムから離間する方向とに、スライド可能に設けられ、
前記現像カートリッジの着脱方向と、前記現像ユニットのスライド方向とは、交差することを特徴とする、現像カートリッジ。
【発明の詳細な説明】
【技術分野】
【０００１】
本発明は、電子写真方式のカラープリンタなどの画像形成装置に備えられる現像カートリッジに関する。
【背景技術】
【０００２】
電子写真方式のカラープリンタとして、イエロー、マゼンタ、シアン、ブラックの４色のトナーに対応して、４つの感光ドラムを備えるタンデム型カラーレーザプリンタが知られている。
このようなタンデム型カラーレーザプリンタとして、例えば、各色に対応しる４つの感光ドラムと、各感光ドラムに対応して設けられ、対応する感光ドラムにトナーを供給する４つの現像カートリッジとを備えるレーザプリンタが知られている（たとえば、特許文献１参照。）。
【先行技術文献】
【特許文献】
【０００３】
【特許文献１】特開２００８−１３４３１７号公報
【発明の概要】
【発明が解決しようとする課題】
【０００４】
しかるに、上記した特許文献１に記載のレーザプリンタでは、各色の現像カートリッジを別々に備えている。
また、通常、カラーレーザプリンタには、モノクロモードとカラーモードとの２つの印刷モードが設定されている。
カラー（イエロー、マゼンタ、シアン）のトナーは、カラーモードのときのみ消費される一方、ブラックのトナーは、モノクロモードとカラーモードとの両方で消費される。
【０００５】
そのため、ブラックのトナーの方が、カラーのトナーよりも消費されやすい傾向にある。
その結果、ユーザーは、比較的交換頻度の少ないカラーの現像カートリッジを、複数、管理することになり、現像カートリッジの交換作業が煩雑になるという不具合がある。
そこで、本発明の目的は、複数の現像ユニットを一体的に取り扱うことができる現像カートリッジを提供することにある。
【課題を解決するための手段】
【０００６】
上記した課題を解決するため、請求項１に記載の発明は、複数の感光ドラムを保持する保持部材に対して着脱自在に設けられる現像カートリッジであって、前記現像カートリッジは、各前記感光ドラムにそれぞれ対応して設けられ、前記感光ドラムに現像剤を供給する現像剤担持体を備える現像ユニットと、各前記現像ユニットを移動可能かつ一体的に支持する支持部材とを、備えていることを特徴としている。
【０００７】
また、請求項２に記載の発明は、請求項１に記載の発明において、前記現像ユニットは、前記支持部材に対して、前記現像カートリッジが前記保持部材に装着された状態における前記感光ドラムの径方向に沿って、前記感光ドラムに近接する方向と、前記感光ドラムから離間する方向とに、スライド可能に設けられ、前記現像カートリッジの前記保持部材に対する着脱方向と、前記現像ユニットのスライド方向とは、交差することを特徴としている。
【０００８】
また、請求項３に記載の発明は、請求項１または２に記載の発明において、前記現像カートリッジは、前記現像ユニットを前記感光ドラムに向かって付勢する付勢部材を備えていることを特徴としている。
また、請求項４に記載の発明は、請求項１ないし３のいずれかに記載の発明において、前記現像ユニットは、前記現像ユニットに対して着脱自在に設けられ、前記現像剤を収容する現像剤収容部を備えていることを特徴としている。
【０００９】
また、請求項５に記載の発明は、請求項４に記載の発明において、前記現像剤収容部と前記現像剤担持体とは、一体的にスライドすることを特徴としている。
また、請求項６に記載の発明は、感光ドラムを保持する保持部材に対して着脱自在に設けられる現像カートリッジであって、前記現像カートリッジは、前記感光ドラムに現像剤を供給する現像剤担持体を備える現像ユニットと、前記現像ユニットをスライド可能に支持する支持部材とを備え、前記現像ユニットは、前記支持部材に対して、前記感光ドラムの径方向に沿って、前記感光ドラムに近接する方向と、前記感光ドラムから離間する方向とに、スライド可能に設けられ、前記現像カートリッジの着脱方向と、前記現像ユニットのスライド方向とは、交差することを特徴としている。
【発明の効果】
【００１０】
請求項１に記載の発明によれば、現像カートリッジは、複数の感光ドラムにそれぞれ対応して設けられる現像ユニットと、各現像ユニットを一体的に支持する支持部材とを備え、各感光ドラムを保持する保持部材に対して着脱自在に設けられている。
また、現像ユニットは、感光ドラムに現像剤を供給する現像剤担持体を備え、各現像ユニットは、支持部材に対して移動可能に設けられている。
【００１１】
そのため、この現像カートリッジでは、複数の現像ユニットを、それぞれ、対応する感光ドラムに対して、個別に移動させることができながら、各現像ユニットを、保持部材に対して一体的に着脱させることができる。
その結果、複数の現像ユニットを一体的に取り扱うことができる。
これにより、同一モードで使用され、互いに交換頻度が同程度の各現像ユニットを、互いに一体的に形成すれば、ユーザーが一度に交換する現像カートリッジの数を低減させることができ、現像カートリッジの交換作業を簡略化することができる。
【００１２】
また、請求項２に記載の発明によれば、現像ユニットは、支持部材に対して、感光ドラムの径方向に沿って、感光ドラムに近接する方向と、感光ドラムから離間する方向とに、スライド可能に設けられている。
そのため、現像ユニットを、感光ドラムの径方向に沿って、感光ドラムの中心軸線に向かってスライドさせることができる。
【００１３】
その結果、現像剤担持体を、感光ドラムに対して、感光ドラムの中心軸線に向かうように接触、または、感光ドラムから離間させることができる。
また、現像カートリッジの着脱方向と、現像ユニットのスライド方向とは、交差している。
そのため、現像剤担持体の感光ドラムに対する接離と、現像カートリッジの保持部材への着脱とを、互いに異なる方向において行うことができる。
【００１４】
その結果、現像剤担持体の接離動作方向に、現像カートリッジの保持部材への着脱動作を行うと、隣接する他の現像ユニットと干渉してしまうが、この発明によれば、そのような干渉が起こることなく、現像カートリッジを着脱することができる。
また、請求項３に記載の発明によれば、現像カートリッジは、現像ユニットを感光ドラムに向かって付勢する付勢部材を備えている。
【００１５】
そのため、確実に、現像ユニットを感光ドラムに向かって付勢することができる。
また、現像ユニットが付勢部材により付勢されているので、現像カートリッジを持ち運ぶときに、現像ユニットがスライドすることを防止することができ、現像カートリッジを安定に持ち運ぶことができる。
また、請求項４に記載の発明によれば、現像ユニットは、現像ユニットに対して着脱自在に設けられ、現像剤を収容する現像剤収容部を備えている。
【００１６】
そのため、現像剤収容部のみを現像ユニットに対して着脱させることができる。
その結果、現像剤収容部のみを交換することができる。
また、請求項５に記載の発明によれば、現像剤収容部と現像剤担持体とは、一体的にスライドする。
そのため、現像剤収容部と現像剤担持体とを個別にスライドさせる機構を設けなくても、簡易な構成で、現像剤収容部と現像剤担持体とをスライドさせることができる。
【００１７】
また、請求項６に記載の発明によれば、現像ユニットは、支持部材に対して、感光ドラムの径方向に沿って、感光ドラムに近接する方向と、感光ドラムから離間する方向とに、スライド可能に設けられている。
そのため、現像ユニットを、感光ドラムの径方向に沿って、感光ドラムの中心軸線に向かってスライドさせることができる。
【００１８】
その結果、現像剤担持体を、感光ドラムに対して、感光ドラムの中心軸線に向かうように接触、または、感光ドラムから離間させることができる。
また、現像カートリッジの着脱方向と、現像ユニットのスライド方向とは、交差している。
そのため、現像剤担持体の感光ドラムに対する接離と、現像カートリッジの保持部材への着脱とを、互いに異なる方向において行うことができる。
【００１９】
その結果、現像剤担持体の感光ドラムに対する接離動作と、現像カートリッジの保持部材への着脱動作とが互いに干渉することなく、確実な接離および着脱を達成することができる。
【図面の簡単な説明】
【００２０】
【図１】本発明の画像形成装置の一例としてのカラーレーザプリンタの一実施形態を示す側断面図である。
【図２】図１に示すカラーレーザプリンタの側断面図であって、各現像カートリッジを側面から見ることができる側断面図である。
【図３】図２に示すカラー現像カートリッジの正面断面図である。
【図４】図１に示すトナーカートリッジの着脱を説明する説明図である。
【図５】図１に示す現像ユニットの駆動伝達を説明する説明図である。
【図６】各現像カートリッジの本体ケーシングへの装着動作を説明する説明図であって、プロセスフレームへのブラック現像カートリッジの装着を示す。
【図７】各現像カートリッジの本体ケーシングへの装着動作を説明する説明図であって、プロセスフレームへのカラー現像カートリッジの装着を示す。
【図８】各現像カートリッジの本体ケーシングへの装着動作を説明する説明図であって、プロセスユニットの本体ケーシングへの装着を示す。
【発明を実施するための形態】
【００２１】
１．カラーレーザプリンタの全体構成
図１は、本発明の画像形成装置の一例としてのカラーレーザプリンタの一実施形態を示す側断面図である。
このカラーレーザプリンタ１は、図１に示すように、横置きタイプのダイレクトタンデム型カラーレーザプリンタであって、本体ケーシング２内に、用紙Ｐを給紙するための給紙部３と、給紙された用紙Ｐに画像を形成するための画像形成部４と、原稿の画像情報を読み取る画像読取部５とを備えている。すなわち、カラーレーザプリンタ１は、画像形成部４と画像読取部５とを一体的に備える複合機である。
（１）本体ケーシング
本体ケーシング２は、給紙部３、画像形成部４および画像読取部５を収容する側面視略矩形状のボックス状に形成されており、その一方側壁には、後述するプロセスユニット１１を着脱させるためのフロントカバー６が設けられている。
【００２２】
なお、以下の説明において、フロントカバー６が設けられる側（図１における右側）を前側とし、その反対側（図１における左側）を後側とする。また、カラーレーザプリンタ１を前側から見たときを左右の基準とする。すなわち、図１の紙面手前側が左側であり、紙面奥側が右側である。
（２）給紙部
給紙部３は、用紙Ｐを収容する給紙トレイ７を備えている。給紙トレイ７は、本体ケーシング２内の底部に着脱自在に装着されている。給紙トレイ７の前端部上方には、複数のローラ８（給紙ローラ、ピックアップローラ、レジストローラ）と、Ｕターンパスからなる給紙パス９とが配置されている。
【００２３】
複数のローラ８の回転により、給紙トレイ７に収容されている用紙Ｐが給紙パス９に向けて１枚ずつ給紙される。その後、用紙Ｐは、給紙パス９から、画像形成部４（感光ドラム１７（後述）と搬送ベルト３０（後述）との間）に向けて搬送される。
（３）画像形成部
画像形成部４は、スキャナユニット１０、プロセスユニット１１、転写ユニット１２、および定着ユニット１３を備えている。
（３−１）スキャナユニット
スキャナユニット１０は、本体ケーシング２の上部に配置されている。スキャナユニット１０は、鎖線で示すように、４つの感光ドラム１７（後述）に向けて、画像データに基づいて、レーザービームをそれぞれ出射し、感光ドラム１７（後述）を露光する。
（３−２）プロセスユニット
（３−２−１）プロセスユニットの構成
プロセスユニット１１は、スキャナユニット１０の下方であって、転写ユニット１２の上方に配置されており、保持部材の一例としてのプロセスフレーム１４と、４つの現像ユニット１５と、ベルトクリーナ１６とを備えている。
【００２４】
プロセスフレーム１４は、本体ケーシング２に対して、前後方向に沿ってスライド可能であり、着脱自在に設けられ、感光ドラム１７、スコロトロン型帯電器１８、および、ドラムクリーニングローラ１９を保持している。
感光ドラム１７は、左右方向に沿うように、前後方向に間隔を隔てて、４つ、並列配置されている。具体的には、前側から後側に向かって、ブラック感光ドラム１７Ｋ、イエロー感光ドラム１７Ｙ、マゼンタ感光ドラム１７Ｍおよびシアン感光ドラム１７Ｃが、順次配置されている。
【００２５】
スコロトロン型帯電器１８は、感光ドラム１７の斜め後側上方に、感光ドラム１７と間隔を隔てて対向配置されている。
ドラムクリーニングローラ１９は、感光ドラム１７の後方において、感光ドラム１７と対向して接触するようにそれぞれ配置されている。
各現像ユニット１５は、各感光ドラム１７に対応するように、それぞれ感光ドラム１７の上側において、互いに間隔を隔てて並列配置されている。具体的には、前側から後側に向かって、ブラック現像ユニット１５Ｋ、イエロー現像ユニット１５Ｙ、マゼンタ現像ユニット１５Ｍおよびシアン現像ユニット１５Ｃが、順次配置されている。
【００２６】
なお、後で詳述するが、ブラック現像ユニット１５Ｋは、廃トナー回収部４１と一体的に、ブラック現像カートリッジ５１を形成する。また、イエロー現像ユニット１５Ｙ、マゼンタ現像ユニット１５Ｍおよびシアン現像ユニット１５Ｃは、互いに一体的に、カラー現像カートリッジ５２を形成する。
また、各現像ユニット１５は、上方が開放されるボックス形状に形成されており、それぞれ、現像ローラ２０を備えている。
【００２７】
現像ローラ２０は、現像ユニット１５の下端において、後方斜め下方が露出するように、回転自在に支持されており、感光ドラム１７に対して上方から接触するように配置されている。
なお、現像ユニット１５は、現像ローラ２０にトナーを供給する供給ローラ２１、現像ローラ２０に供給されたトナーの厚みを規制する層厚規制ブレード２２を備えている。また、それらの上方の空間には、現像剤の一例としてのトナーを収容する現像剤収容部の一例としてのトナーカートリッジ２３が、現像ユニット１５に対して着脱自在に収容されている。
【００２８】
トナーカートリッジ２３内にはアジテータ４２が設けられている。アジテータ４２は、トナーカートリッジ２３内のトナーを撹拌する。
ベルトクリーナ１６は、ベルトクリーニングローラ２４および廃トナー回収部４１を備えている。
ベルトクリーニングローラ２４は、ブラック感光ドラム１７Ｋの前側において、左右方向に沿って配置され、プロセスフレーム１４に回転自在に支持されている。ベルトクリーニングローラ２４は、その下端縁において、搬送ベルト３０に接触するように設けられている。
【００２９】
廃トナー回収部４１は、中継ローラ２５、廃トナー貯留部２６およびスクリュー２７を備えている。
廃トナー貯留部２６は、左右方向に沿って延びるボックス形状に形成されている。
中継ローラ２５は、ベルトクリーニングローラ２４の前方斜め上方において、ベルトクリーニングローラ２４と接触するように、左右方向に沿って配置されている。また、中継ローラ２５は、廃トナー回収部４１の下端部において、廃トナー貯留部２６の後方に隣接配置されている。
【００３０】
スクリュー２７は、中継ローラ２５の後方において、廃トナー貯留部２６内に収容され、左右方向に沿って配置されている。
（３−２−２）プロセスユニットでの現像動作
トナーカートリッジ２３内のトナーは、アジテータ４２により撹拌されて、供給ローラ２１に供給され、さらに、現像ローラ２０に供給され、供給ローラ２１と現像ローラ２０との間で正極性に摩擦帯電される。
【００３１】
現像ローラ２０に供給されたトナーは、現像ローラ２０の回転に伴って、層厚規制ブレード２２によって厚さが規制され、一定厚さの薄層として現像ローラ２０の表面に担持される。
一方、感光ドラム１７の表面は、感光ドラム１７の回転に伴って、スコロトロン型帯電器１８により一様に正帯電された後、スキャナユニット１０からのレーザービーム（図１破線参照。）の高速走査により露光される。これにより、用紙Ｐに形成すべき画像に対応した静電潜像が感光ドラム１７の表面に形成される。
【００３２】
感光ドラム１７がさらに回転すると、現像ローラ２０の表面に担持され、かつ、正帯電されているトナーが、感光ドラム１７の表面に形成されている静電潜像に供給される。これにより、感光ドラム１７の静電潜像は可視像化され、感光ドラム１７の表面には、反転現像によるトナー像が担持される。
（３−３）転写ユニット
転写ユニット１２は、本体ケーシング２内において、給紙部３の上方であって、プロセスユニット１１の下方において、前後方向に沿って配置されている。この転写ユニット１２は、駆動ローラ２８、従動ローラ２９、搬送ベルト３０、および５つの転写ローラ３１を備えている。
【００３３】
駆動ローラ２８および従動ローラ２９は、前後方向に間隔を隔てて対向配置されている。
搬送ベルト３０は、各感光ドラム１７に対して上下方向に対向し、その上側部分が各感光ドラム１７と接触するように、駆動ローラ２８および従動ローラ２９の周りに巻回されている。また、搬送ベルト３０は、駆動ローラ２８の駆動により、各感光ドラム１７と接触する搬送ベルト３０の上側部分が前方から後方に向かって移動するように、左側面視反時計周りに周回移動されている。
【００３４】
各転写ローラ３１は、各感光ドラム１７およびベルトクリーニングローラ２４と、それぞれ搬送ベルト３０の上側部分を挟んで対向するように、設けられている。
そして、給紙部３から給紙された用紙Ｐは、搬送ベルト３０によって、前側から後側に向かって、各感光ドラム１７と各転写ローラ３１とが対向する転写位置を順次通過するように搬送される。その搬送中に、各感光ドラム１７に担持されている各色のトナー像が、用紙Ｐに順次転写され、カラー画像が形成される。
【００３５】
なお、感光ドラム１７から用紙Ｐへのトナー像の転写後に感光ドラム１７の外周面上にトナーが残留する場合がある。その場合、この残留した廃トナーは、感光ドラム１７の回転により、ドラムクリーニングローラ１９と対向したときに、ドラムクリーニングローラ１９に印加されるクリーニングバイアスによって、ドラムクリーニングローラ１９の外周面に転写され、ドラムクリーニングローラ１９に一時保持される。
【００３６】
そして、ドラムクリーニングローラ１９に一時保持された廃トナーは、画像形成動作の合間に、ベルトクリーナ１６によって回収される。
詳しくは、まず、ドラムクリーニングローラ１９に、クリーニングバイアスとは逆方向となるバイアスが印加される。すると、ドラムクリーニングローラ１９に一時保持されている廃トナーは、ドラムクリーニングローラ１９から感光ドラム１７を介して、搬送ベルト３０に放出される。
【００３７】
そして、搬送ベルト３０に放出された廃トナーは、搬送ベルト３０の周回移動により、転写ユニット１２の下方を通って、ベルトクリーニングローラ２４と対向する。
すると、ベルトクリーニングローラ２４に印加されるクリーニングバイアスによって、ドラムクリーニングローラ１９から搬送ベルト３０に放出された廃トナーがベルトクリーニングローラ２４に捕獲され、中継ローラ２５を介して、廃トナー貯留部２６内に回収される。
（３−４）定着ユニット
定着ユニット１３は、転写ユニット１２の後方に配置され、加熱ローラ３２、および加熱ローラ３２に対向する加圧ローラ３３を備えている。転写ユニット１２において、用紙Ｐに転写されたカラー画像は、用紙Ｐが加熱ローラ３２と加圧ローラ３３との間を通過する間に、加熱および加圧されることによって用紙Ｐに熱定着される。
（４）排紙
トナー像が定着した用紙Ｐは、Ｕターンパスからなる排紙パス３４を通過して、排紙ローラ３５に向けて搬送され、排紙ローラ３５によって、スキャナユニット１０の上方に形成される排紙トレイ３６上に排紙される。
（５）画像読取部
画像読取部５は、排紙トレイ３６の上方に設けられ、原稿台３７と、原稿台３７に揺動自在に支持される押えカバー３８とを備えている。
【００３８】
原稿台３７は、平面視矩形の板状に形成されており、その上面には、原稿が載置されるガラス面３９が設けられている。また、原稿台３７には、ガラス面３９の下方において、ガラス面３９に載置された原稿を読み取るためのＣＣＤセンサ４０が内装されている。
ＣＣＤセンサ４０は、原稿読取時には、ガラス面３９と対向した状態で左右方向に沿ってスライド移動する。
【００３９】
押えカバー３８は、原稿台３７を上方から被覆するように、平面視矩形状に形成されている。押えカバー３８は、傾倒してガラス面３９を上から被覆する閉位置と、起立してガラス面３９の上面を露出させる開位置との間を揺動する。
そして、画像読取部５では、原稿が押えカバー３８とガラス面３９との間に配置された後、ＣＣＤセンサ４０がスライドすることにより、原稿の画像情報が読み取られる。
【００４０】
そして、読み取られた原稿の画像情報に基づいて、画像形成部４において、上記したように、用紙Ｐに画像を形成することができる。また、カラーレーザプリンタ１は、その画像情報をカラーレーザプリンタ１に接続されたパーソナルコンピュータ（図示せず）に送信したり、公衆電話回線を通じて送信したりする機能を有している。
２．プロセスユニットの詳細
図２は、図１に示すカラーレーザプリンタの側断面図であって、各現像カートリッジを側面から見ることができる側断面図である。図３は、図２に示すカラー現像カートリッジの正面断面図である。図４は、図１に示すトナーカートリッジの着脱を説明する説明図である。図５は、図１に示す現像ユニットの駆動伝達を説明する説明図である。図６は、各現像カートリッジの本体ケーシングへの装着動作を説明する説明図であって、プロセスフレームへのブラック現像カートリッジの装着を示す。
【００４１】
プロセスユニット１１は、上述したように、プロセスフレーム１４と、４つの現像ユニット１５とを備えている。
（１）プロセスフレーム
プロセスフレーム１４は、底のない平面視矩形状の枠であり、各感光ドラム１７、各ドラムクリーニングローラ１９およびベルトクリーニングローラ２４の左右方向両端部を回転自在に支持している。また、プロセスフレーム１４は、各スコロトロン型帯電器１８を支持している。
【００４２】
また、プロセスフレーム１４の左右方向両側板には、図６に示すように、４つの現像ガイド溝６５が前後方向に間隔を隔てて設けられている。
詳しくは、前側の２つの現像ガイド溝６５は、ブラック現像カートリッジ５１の両ガイドボス５８（後述）と同じ前後方向間隔を隔てて隣接配置されている。
また、後側の２つの現像ガイド溝６５は、カラー現像カートリッジ５２の両ガイドボス５８（後述）と同じ前後方向間隔を隔てて隣接配置されている。
【００４３】
また、前後方向略中央の２つの現像ガイド溝６５は、最前方または最後方の現像ガイド溝６５との前後方向間隔よりも狭い前後方向間隔を隔てて隣接配置されている。
各現像ガイド溝６５は、プロセスフレーム１４の上端縁から下方に向かって延びるように、上側が開放された側面視略Ｕ字形状に切欠かれており、ガイドボス５８（後述）を受け入れ可能な前後方向長さに形成されている。
（２）現像ユニット
現像ユニット１５は、上述し、図１に示すように、現像ローラ２０およびトナーカートリッジ２３を備えている。
【００４４】
現像ローラ２０は、現像ローラ軸６０を備えている。現像ローラ軸６０は、左右方向に沿って設けられる現像ローラ２０の回転軸であり、現像ユニット１５の左右方向長さよりも長い左右方向長さに形成されている。また、現像ローラ軸６０は、現像ユニット１５の左右方向両端部から左右方向外側に突出するように、現像ユニット１５に回転自在に支持されている。
【００４５】
トナーカートリッジ２３は、図４に示すように、下端部が開口されるボックス形状に形成されており、各現像ユニット１５がカラー側板７１（後述）に支持されている状態において、それぞれ独立して着脱可能なように設けられている。
また、各トナーカートリッジ２３の下端部には、図示しないシャッタ部材が設けられており、各トナーカートリッジ２３を現像ユニット１５から離脱させるときには、シャッタ部材（図示せず）が下端部の開口を閉鎖することにより、トナーがトナーカートリッジ２３の下端部の開口からこぼれることを防止することができる。
【００４６】
また、現像ユニット１５は、図３に示すように、駆動伝達部８１と、現像ユニット支持ボス６４とを備えている。
駆動伝達部８１は、現像ユニット１５の左端部に設けられ、ギヤカバー８２と、ギヤカバー８２内に収容されるギヤ列８３（図５参照）とを備えている。
ギヤカバー８２は、側面視において現像ユニット１５と同じ形状のボックス状に形成されている。
【００４７】
ギヤ列８３は、図５に示すように、現像カップリング雌部材５９、アジテータ駆動ギヤ８４、第１アイドルギヤ８５、第２アイドルギヤ８６、供給ローラギヤ８７および現像ローラギヤ８８からなる。
現像カップリング雌部材５９は、現像ユニット１５の前端部の上下方向略中央において、回転自在に支持されている。また、現像カップリング雌部材５９は、ギヤ部８９およびカップリング部９０を一体的に備えている。
【００４８】
ギヤ部８９は、現像カップリング雌部材５９の左方に設けられ、円板形状に形成されている。
カップリング部９０は、ギヤ部８９と回転軸線を共有するように、ギヤ部８９の右端面から右方に向かって突出する円筒形状に形成されている。また、カップリング部９０の径方向長さは、現像ローラ軸６０の径方向長さと同じ長さに形成されている。
【００４９】
なお、カップリング部９０には、カップリング部９０の外周面を被覆する円筒形状のカップリングカバー（図示せず）が、相対回転自在に外嵌されている。
アジテータ駆動ギヤ８４は、現像カップリング雌部材５９の後方斜め上方に配置されており、現像カップリング雌部材５９のギヤ部８９に後方斜め上方から噛合している。アジテータ駆動ギヤ８４は、トナーカートリッジ２３が現像ユニット１５に装着されているときに、トナーカートリッジ２３内のアジテータ４２に駆動力を伝達する。
【００５０】
第１アイドルギヤ８５は、アジテータ駆動ギヤ８４の後方斜め下方に配置されており、アジテータ駆動ギヤ８４に後方斜め下方から噛合している。
第２アイドルギヤ８６は、第１アイドルギヤ８５の下方に配置されており、第１アイドルギヤ８５に下方から噛合している。
供給ローラギヤ８７は、第２アイドルギヤ８６の前方に配置されており、第２アイドルギヤ８６に前方から噛合している。供給ローラギヤ８７は、供給ローラ２１に駆動力を伝達する。
【００５１】
現像ローラギヤ８８は、第２アイドルギヤ８６の下方に配置されており、第２アイドルギヤ８６に下方から噛合している。現像ローラギヤ８８は、現像ローラ２０に駆動力を伝達する。
現像ユニット支持ボス６４は、図３に示すように、現像ユニット１５の右端部から右方に向かって突出する円筒形状に形成されている。また、現像ユニット支持ボス６４は、現像カップリング雌部材５９のカップリング部９０と軸線を共有する位置に形成されている。また、現像ユニット支持ボス６４の径方向長さは、カップリング部９０の径方向長さと同じ長さに形成されている。
【００５２】
なお、ベルトクリーナ１６において、図２に示すように、中継ローラ２５は、中継ローラ軸６２を備えている。
中継ローラ軸６２は、中継ローラ２５の回転軸であり、その両端部は、廃トナー回収部４１に回転自在に支持されている。また、中継ローラ軸６２は、廃トナー回収部４１の左右方向長さよりも長い左右方向長さに形成され、廃トナー回収部４１の左右方向両端部から左右方向外側に突出している。
【００５３】
また、廃トナー貯留部２６の左右方向両端部には、それぞれ、廃トナー貯留部支持ボス６１が設けられている。
各廃トナー貯留部支持ボス６１は、廃トナー貯留部２６の左右方向両端部から左右方向外側に向かって突出する円柱形状に形成されており、廃トナー貯留部２６の上下方向略中央に配置されている。
（３）現像ユニットの駆動伝達
現像ユニット１５の現像カップリング雌部材５９のカップリング部９０に、本体ケーシング２内に設けられるモータ（図示せず）からの駆動力が入力されると、現像カップリング雌部材５９のギヤ部８９を介してアジテータ駆動ギヤ８４に駆動力が伝達される。
【００５４】
アジテータ駆動ギヤ８４に伝達された駆動力は、第１アイドルギヤ８５および第２アイドルギヤ８６を介して、供給ローラギヤ８７および現像ローラギヤ８８に伝達される。
これにより、アジテータ４２、供給ローラ２１および現像ローラ２０が回転駆動される。
（４）現像カートリッジ
プロセスユニット１１は、図２に示すように、２つの現像カートリッジ５０を、プロセスフレーム１４に対して着脱自在に備えている。各現像カートリッジは、ブラック現像カートリッジ５１と、カラー現像カートリッジ５２とからなる。
（４−１）ブラック現像カートリッジ
ブラック現像カートリッジ５１は、左右１対のブラック側板５３を備えている。両ブラック側板５３間には、ブラック現像ユニット１５Ｋおよび廃トナー回収部４１が一体的に支持されている。
【００５５】
両ブラック側板５３は、側面視略矩形状の平板であり、それぞれ、１対の第１現像ユニット支持穴５４および第２現像ユニット支持穴５５と、廃トナー貯留部支持穴５６と、中継ローラ支持穴５７とが貫通形成されている。また、両ブラック側板５３は、それぞれ、前後１対のガイドボス５８を備えている。また、両ブラック側板５３の上端部には、把持部６６が設けられている。
【００５６】
第１現像ユニット支持穴５４は、ブラック側板５３の上下方向略中央かつ前後方向略中央に配置されている。また、第１現像ユニット支持穴５４は、下方に向かうに従って後方に向かって傾斜するように延びる長穴であり、現像カップリング雌部材５９を受け入れ可能な大きさに形成されている。
第２現像ユニット支持穴５５は、第１現像ユニット支持穴５４の下斜め後方に配置されている。また、第２現像ユニット支持穴５５は、第１現像ユニット支持穴５４と同じ形状に形成されている。
【００５７】
廃トナー貯留部支持穴５６は、第１現像ユニット支持穴５４の前方に配置されている。また、廃トナー貯留部支持穴５６は、第１現像ユニット支持穴５４と同じ形状に形成されている。
中継ローラ支持穴５７は、廃トナー貯留部支持穴５６の下斜め後方に配置されている。また、中継ローラ支持穴５７は、第１現像ユニット支持穴５４と同じ形状に形成されている。
【００５８】
そして、第１現像ユニット支持穴５４の下端部に、現像カップリング雌部材５９または現像ユニット支持ボス６４が左右方向内方から嵌合され、第２現像ユニット支持穴５５の下端部に、現像ローラ軸６０が左右方向内方から嵌合されている。これにより、ブラック現像ユニット１５Ｋは、第１現像ユニット支持穴５４に沿ってスライド可能なように、ブラック側板５３に支持されている。
【００５９】
また、廃トナー貯留部支持穴５６の下端部に、廃トナー貯留部支持ボス６１が左右方向内方から嵌合されている。これにより、廃トナー貯留部２６は、廃トナー貯留部支持穴５６に沿ってスライド可能なように、ブラック側板５３に支持されている。
また、中継ローラ支持穴５７の下端部に、中継ローラ軸６２が左右方向内方から嵌合されている。これにより、中継ローラ２５は、中継ローラ支持穴５７に沿ってスライド可能なように、ブラック側板５３に支持されている。
【００６０】
そして、第１現像ユニット支持穴５４内には、第１現像ユニット支持穴５４の上端部と、現像カップリング雌部材５９のカップリングカバー（図示せず）または現像ユニット支持ボス６４とを連結する付勢部材の一例としての圧縮ばね６３が設けられている。これにより、ブラック現像ユニット１５Ｋは、常には、下斜め後方に向かって付勢されている。
また、廃トナー貯留部支持穴５６内には、廃トナー貯留部支持穴５６の上端部と、廃トナー貯留部支持ボス６１とを連結する圧縮ばね６３が設けられている。これにより、廃トナー貯留部２６は、常には、下斜め後方に向かって付勢されている。
【００６１】
両ガイドボス５８は、ブラック現像カートリッジ５１においては、ブラック側板５３の上端部において、その前端部と後端部とに１つずつ設けられ、ブラック側板５３の左右方向外側面から左右方向外側に向かって延びる略円柱形状に形成されている。
把持部６６は、下側が開放された正面視略Ｕ字形状に形成され、ブラック現像カートリッジ５１においては、右側下端部が右側のブラック側板５３の上端縁に、回動自在に連結されるとともに、左側下端部が左側のブラック側板５３の上端縁に、回動自在に連結されている。把持部６６は、常には、前後方向に沿うように傾倒されている。そして、ブラック現像カートリッジ５１を着脱するときには、ユーザーは、把持部６６を起立させて把持することができる。
（４−２）カラー現像カートリッジ
カラー現像カートリッジ５２は、左右１対の支持部材の一例としてのカラー側板７１を備えている。両カラー側板７１間には、イエロー現像ユニット１５Ｙ、マゼンタ現像ユニット１５Ｍおよびシアン現像ユニット１５Ｃが一体的に支持されている。
【００６２】
両カラー側板７１は、側面視略矩形状の平板であり、それぞれ、３対の第１現像ユニット支持穴５４および第２現像ユニット支持穴５５が貫通形成されている。また、両ブラック側板５３は、それぞれ、前後１対のガイドボス５８を備えている。
各第１現像ユニット支持穴５４は、カラー側板７１の上下方向略中央において、互いに間隔を隔てて並列配置されている。また、第１現像ユニット支持穴５４は、下方に向かうに従って後方に向かって傾斜するように延びる長穴であり、現像カップリング雌部材５９を受け入れ可能な大きさに形成されている。
【００６３】
各第２現像ユニット支持穴５５は、カラー側板７１の下端部において、互いに間隔を隔てて並列配置されている。また、各第２現像ユニット支持穴５５は、それぞれ、対応する第１現像ユニット支持穴５４の下斜め後方に配置されている。また、第２現像ユニット支持穴５５は、第１現像ユニット支持穴５４と同じ形状に形成されている。
そして、最前方の第１現像ユニット支持穴５４の下端部に、イエロー現像ユニット１５Ｙの現像カップリング雌部材５９または現像ユニット支持ボス６４が左右方向内方から嵌合され、最前方の第２現像ユニット支持穴５５の下端部に、イエロー現像ユニット１５Ｙの現像ローラ軸６０が左右方向内方から嵌合されている。
【００６４】
また、前後方向略中央の第１現像ユニット支持穴５４の下端部に、マゼンタ現像ユニット１５Ｍの現像カップリング雌部材５９または現像ユニット支持ボス６４が左右方向内方から嵌合され、前後方向略中央の第２現像ユニット支持穴５５の下端部に、マゼンタ現像ユニット１５Ｍの現像ローラ軸６０が左右方向内方から嵌合されている。
また、最後方の第１現像ユニット支持穴５４の下端部に、シアン現像ユニット１５Ｃの現像カップリング雌部材５９または現像ユニット支持ボス６４が左右方向内方から嵌合され、最後方の第２現像ユニット支持穴５５の下端部に、シアン現像ユニット１５Ｃの現像ローラ軸６０が左右方向内方から嵌合されている。
【００６５】
これにより、イエロー現像ユニット１５Ｙは、最前方の第１現像ユニット支持穴５４に沿ってスライド可能なように、カラー側板７１の前端部に支持されている。また、マゼンタ現像ユニット１５Ｍは、前後方向略中央の第１現像ユニット支持穴５４に沿ってスライド可能なように、カラー側板７１の前後方向略中央に支持されている。また、シアン現像ユニット１５Ｃは、最後方の第１現像ユニット支持穴５４に沿ってスライド可能なように、カラー側板７１の後端部に支持されている。
【００６６】
両ガイドボス５８は、カラー現像カートリッジ５２においては、カラー側板７１の上端部において、その前端部と後端部とに１つずつ設けられ、カラー側板７１の左右方向外側面から左右方向外側に向かって延びる略円柱形状に形成されている。
把持部６６は、下側が開放された正面視略Ｕ字形状に形成され、カラー現像カートリッジ５２においては、右側下端部が右側のカラー側板７１の上端縁に、回動自在に連結されるとともに、左側下端部が左側のカラー側板７１の上端縁に、回動自在に連結されている。把持部６６は、常には、前後方向に沿うように傾倒され、カラー現像カートリッジ５２を着脱するときに、ユーザーは、把持部６６を起立させて把持することができる。
３．各現像カートリッジの本体ケーシングへの装着動作
図７および図８は、各現像カートリッジの本体ケーシングへの装着動作を説明する説明図であって、図７は、プロセスフレームへのカラー現像カートリッジの装着を示し、図８は、プロセスユニットの本体ケーシングへの装着を示す。
【００６７】
ブラック現像カートリッジ５１およびカラー現像カートリッジ５２を、本体ケーシング２に装着するには、たとえば、まず、プロセスフレーム１４にブラック現像カートリッジ５１を装着する。
プロセスフレーム１４にブラック現像カートリッジ５１を装着するには、図６に示すように、本体ケーシング２からプロセスフレーム１４を引き出す。
【００６８】
そして、ブラック現像カートリッジ５１を、前側のガイドボス５８が最前方の現像ガイド溝６５に嵌合され、後側のガイドボス５８が前から２番目の現像ガイド溝６５に嵌合されるように位置合わせし、上方からプロセスフレーム１４に挿入する。
すると、各ガイドボス５８が対応する現像ガイド溝６５に上方から嵌合されるとともに、現像ローラ２０がブラック感光ドラム１７Ｋに、中継ローラ２５がベルトクリーニングローラ２４に、それぞれ上方から当接する。これにより、プロセスフレーム１４へのブラック現像カートリッジ５１の装着が完了する（図７参照）。
【００６９】
このとき、ブラック現像ユニット１５Ｋは、ブラック側板５３に対して、ブラック感光ドラム１７Ｋの径方向に沿って、圧縮ばね６３の付勢力により、ブラック感光ドラム１７Ｋに近接する方向（後方斜め下方）に付勢されている。また、ブラック現像ユニット１５Ｋは、ブラック側板５３に対して、圧縮ばね６３の付勢力に抗して、ブラック感光ドラム１７Ｋから離間する方向（前方斜め上方）にスライド可能に設けられている。なお、ブラック現像ユニット１５Ｋに装着されているトナーカートリッジ２３は、ブラック現像ユニット１５Ｋと一体的にスライドする。
【００７０】
すなわち、ブラック現像カートリッジ５１のプロセスフレーム１４への着脱方向（上下方向）と、ブラック現像ユニット１５Ｋおよび廃トナー回収部４１のスライド方向（後方斜め下方または前方斜め上方）とは、交差している。
次いで、図７に示すように、ブラック現像カートリッジ５１の後方において、プロセスフレーム１４にカラー現像カートリッジ５２を装着する。
【００７１】
プロセスフレーム１４にカラー現像カートリッジ５２を装着するには、カラー現像カートリッジ５２を、前側のガイドボス５８が前から３番目の現像ガイド溝６５に嵌合され、後側のガイドボス５８が前から最後方の現像ガイド溝６５に嵌合されるように位置合わせし、上方からプロセスフレーム１４に挿入する。
すると、各ガイドボス５８が対応する現像ガイド溝６５に上方から嵌合されるとともに、各現像ローラ２０が対応する感光ドラム１７に、それぞれ上方から当接する。これにより、プロセスフレーム１４へのカラー現像カートリッジ５２の装着が完了する（図８参照）。
【００７２】
このとき、カラーの各現像ユニット１５は、カラー側板７１に対して、対応する感光ドラム１７の径方向に沿って、圧縮ばね６３の付勢力により、対応する感光ドラム１７に近接する方向（後方斜め下方）に付勢されている。また、カラーの各現像ユニット１５は、カラー側板７１に対して、圧縮ばね６３の付勢力に抗して、対応する感光ドラム１７から離間する方向（前方斜め上方）にスライド可能に設けられている。なお、カラーの各現像ユニット１５に装着されているトナーカートリッジ２３は、カラーの各現像ユニット１５と一体的にスライドする。
【００７３】
すなわち、カラー現像カートリッジ５２のプロセスフレーム１４への着脱方向（上下方向）と、カラーの各現像ユニット１５のスライド方向（後方斜め下方または前方斜め上方）とは、交差している。
そして、図８に示すように、ブラック現像カートリッジ５１およびカラー現像カートリッジ５２が装着されたプロセスフレーム１４を、本体ケーシング２内に向かって、前方から後方にスライドさせる。
【００７４】
これにより、図２に示すように、プロセスユニット１１が本体ケーシング２内に収容され、プロセスユニット１１の本体ケーシング２への装着が完了する。
プロセスユニット１１が本体ケーシング２へ装着されると、カラーレーザプリンタ１が画像形成動作可能になる。
カラーレーザプリンタ１は、画像形成動作において、黒色の画像を形成するモノクロモードと、カラーの画像を形成するカラーモードとの２つのモードに切り替えることができる。
【００７５】
カラーレーザプリンタ１をカラーモードからモノクロモードに切り替えるには、本体ケーシング２内の図示しない接離機構により、カラーの各現像ユニット１５を上方斜め前方に向かって押圧する。
すると、カラーの各現像ユニット１５は、圧縮ばねの付勢力に抗して、現像カップリング雌部材５９が第１現像ユニット支持穴５４に案内され、現像ローラ軸６０が第２現像ユニット支持穴５５に案内されて、上方斜め前方に向かってスライドする。
【００７６】
すると、ブラック現像ユニット１５Ｋとブラック感光ドラム１７Ｋとが接触した状態で、カラーの各現像ユニット１５の現像ローラ２０が、対応する感光ドラム１７から、上方斜め前方に向かって離間されて、カラーレーザプリンタ１がモノクロモードに切り替えられる。
また、カラーレーザプリンタ１をモノクロモードからカラーモードに切り替えるには、本体ケーシング２内の接離機構（図示せず）によるカラーの各現像ユニット１５に対する押圧を解除する。
【００７７】
すると、カラーの各現像ユニット１５は、圧縮ばねの付勢力により、現像カップリング雌部材５９が第１現像ユニット支持穴５４に案内され、現像ローラ軸６０が第２現像ユニット支持穴５５に案内されて、下方斜め後方に向かってスライドする。
すると、すべての現像ユニット１５の現像ローラ２０が、対応する感光ドラム１７に接触されて、カラーレーザプリンタ１がカラーモードに切り替えられる。
４．作用効果
（１）このカラー現像カートリッジ５２によれば、カラー現像カートリッジ５２は、イエロー、マゼンタおよびシアンの感光ドラム１７にそれぞれ対応して設けられるイエロー現像ユニット１５Ｙ、マゼンタ現像ユニット１５Ｍおよびシアン現像ユニット１５Ｃと、それらを一体的に支持するカラー側板７１とを備え、各感光ドラム１７を保持するプロセスフレーム１４に対して着脱自在に設けられている。
【００７８】
また、現像ユニット１５は、感光ドラム１７にトナーを供給する現像ローラ２０を備え、各現像ユニット１５は、カラー側板７１に対して移動可能に設けられている。
そのため、カラー現像カートリッジ５２では、３つの現像ユニット１５を、それぞれ、対応する感光ドラム１７に接触させて、カラーレーザプリンタ１をカラーモードにすることができる。
【００７９】
また、３つの現像ユニット１５を、それぞれ、対応する感光ドラム１７から離間させて、カラーレーザプリンタ１をモノクロモードにすることができる。
そして、カラー現像カートリッジ５２を交換することにより、各現像ユニット１５を、プロセスフレーム１４に対して一体的に着脱させることができる。
その結果、３つの現像ユニット１５を一体的に取り扱うことができる。
【００８０】
カラーの現像ユニット１５が、互いに一体的に形成されているので、ユーザーは、カラー現像カートリッジ５２を交換すれば、カラーの現像ユニット１５すべてを一度に交換することができ、現像ユニット１５の交換作業を簡略化することができる。
（２）また、このカラー現像カートリッジ５２によれば、現像ユニット１５は、カラー側板７１に対して、感光ドラム１７の径方向に沿って、感光ドラム１７に近接する方向と、感光ドラム１７から離間する方向とに、スライド可能に設けられている。
【００８１】
そのため、現像ユニット１５を、感光ドラム１７の径方向に沿って、感光ドラム１７の中心軸線に向かってスライドさせることができる。
その結果、現像ローラ２０を、感光ドラム１７に対して、感光ドラム１７の中心軸線に向かうように接触、または、感光ドラム１７から離間させることができる。
また、カラー現像カートリッジ５２の着脱方向（上下方向）と、現像ユニット１５のスライド方向（後方斜め下方および前方斜め上方）とは、交差している。
【００８２】
そのため、現像ローラ２０の感光ドラム１７に対する接触と、カラー現像カートリッジ５２のプロセスフレーム１４への着脱とを、互いに異なる方向において行うことができる。
その結果、現像ローラ２０のスライド方向に、カラー現像カートリッジ５２のプロセスフレーム１４への着脱動作を行うと、隣接するブラック現像カートリッジ５１と干渉してしまうが、この発明によれば、そのような干渉が起こることなく、カラー現像カートリッジ５２を着脱することができる。
（３）また、このカラー現像カートリッジ５２によれば、カラー現像カートリッジ５２は、現像ユニット１５を感光ドラム１７に向かって付勢する圧縮ばね６３を備えている。
【００８３】
そのため、確実に、現像ユニット１５を感光ドラム１７に向かって付勢することができる。
また、現像ユニット１５の対応する感光ドラム１７への接触時には、現像ローラ２０と感光ドラム１７との当接の衝撃を、圧縮ばね６３の弾性により吸収することができる。
また、各現像ユニット１５が圧縮ばね６３により付勢されているので、カラー現像カートリッジ５２を持ち運ぶときに、各現像ユニット１５がスライドすることを防止することができ、カラー現像カートリッジ５２を安定に持ち運ぶことができる。
（４）また、カラー現像カートリッジ５２によれば、現像ユニット１５は、現像ユニット１５に対して着脱自在に設けられ、トナーを収容するトナーカートリッジ２３を備えている。
【００８４】
そのため、トナーカートリッジ２３のみを現像ユニット１５に対して着脱させることができる。
その結果、カラーの各トナーの間で消費量に差が生じる場合には、カラー現像カートリッジ５２を交換せずに、トナーの消費量が多いトナーカートリッジ２３のみを交換することができる。
（５）また、このカラー現像カートリッジ５２によれば、トナーカートリッジ２３と現像ローラ２０とは、一体的にスライドする。
【００８５】
そのため、トナーカートリッジ２３と現像ローラ２０とを個別にスライドさせる機構を設けなくても、簡易な構成で、トナーカートリッジ２３と現像ローラ２０とをスライドさせることができる。
（６）そして、隣接する現像ユニット１５間には、隙間が設けられている。
そのため、この隙間を利用して、感光ドラム１７の露光を行うことができるとともに、現像ユニット１５を感光ドラム１７から離間させることができる。
５．変形例
上記したカラー現像カートリッジ５２では、カラーの３つの現像ユニット１５を、１対のカラー側板７１間に支持し、一体的に設けたが、１つの現像ユニット１５を、１対の側板間に支持し、単色の現像カートリッジ５０を形成することもできる。
【００８６】
その場合には、現像ユニット１５は、側板に対して、感光ドラム１７の径方向に沿って、感光ドラム１７に近接する方向と、感光ドラム１７から離間する方向とに、スライド可能に設けられている。
そのため、現像ユニット１５を、感光ドラム１７の径方向に沿って、感光ドラム１７の中心軸線に向かってスライドさせることができる。
【００８７】
その結果、現像ローラ２０を、感光ドラム１７に対して、感光ドラム１７の中心軸線に向かうように接触、または、感光ドラム１７から離間させることができる。
また、現像カートリッジ５０の着脱方向と、現像ユニット１５のスライド方向とは、交差している。
そのため、現像ローラ２０の感光ドラム１７に対する接触と、現像カートリッジ５０のプロセスフレーム１４への着脱とを、互いに異なる方向において行うことができる。
【００８８】
その結果、現像ローラ２０の感光ドラム１７に対する接触と、現像カートリッジ５０のプロセスフレーム１４への着脱動作とが互いに干渉することなく、確実な接触および着脱を達成することができる。
【符号の説明】
【００８９】
１４    プロセスフレーム
１５    現像ユニット
１７    感光ドラム
２０    現像ローラ
２３    トナーカートリッジ
５０    現像カートリッジ
５２    カラー現像カートリッジ
６３    圧縮ばね
７１    カラー側板
【図１】
2010266753.tif 000003
【図２】
2010266753.tif 000004
【図３】
2010266753.tif 000005
【図４】
2010266753.tif 000006
【図５】
2010266753.tif 000007
【図６】
2010266753.tif 000008
【図７】
2010266753.tif 000009
【図８】
2010266753.tif 000010